(57)【要約】【解決手段】第一のネットワーク内に加入を持つ移動局が、第二のネットワークに移動し、第二のネットワークを使用することが認証されるように、一般的なグローバルゲートウェイ（ＧＧＧ：general global gateway）が、第一のネットワークと第二のネットワークとの間を相互ネットワークする。ＧＧＧは、移動局から認証パラメータを取得し、この認証パラメータが、ＧＧＧ認証基準を満足するかを判定する。もしも満足するのであれば、ＧＧＧは、第一のネットワークにアクセスし、この移動局による第一のネットワークへのその後のアクセスのために、第一のネットワークからの認証情報を格納する。【選択図】      図１
2007525048.tif 000002
【特許請求の範囲】
【請求項１】
第一のネットワークと第二のネットワークとの間の通信をサポートし、前記第一のネットワークに加入された移動局（ＭＳ）が、前記第二のネットワークを使って通信できるように構成されている一般的なグローバルゲートウェイ（ＧＧＧ：general global gateway）であって、
前記移動局のアイデンティティを格納するように構成されたデータベースと、
プログラムロジックを実行し、前記移動局のアイデンティティに基づいて前記第一のネットワークから認証情報を取得するロジックユニットと
を備えた一般的なグローバルゲートウェイ（ＧＧＧ）。
【請求項２】
請求項１に記載の一般的なグローバルゲートウェイ（ＧＧＧ）において、
前記移動局の位置を格納し、前記第一のネットワークから前記移動局へと到来する呼を、前記一般的なグローバルゲートウェイ（ＧＧＧ）を通じて前記移動局へと経路付けることを可能にするように構成されたロケーションレジスタを更に備えた一般的なグローバルゲートウェイ（ＧＧＧ）。
【請求項３】
請求項１に記載の一般的なグローバルゲートウェイ（ＧＧＧ）において、
前記ロジックユニットは更に、前記移動局からの認証パラメータが、一般的なグローバルゲートウェイ（ＧＧＧ）認証基準を満足するかを判定するように構成された一般的なグローバルゲートウェイ（ＧＧＧ）。
【請求項４】
請求項１に記載の一般的なグローバルゲートウェイ（ＧＧＧ）において、
サービスセンタのメッセージフォーマットに従って、前記第二のネットワークとの間でメッセージを送受信するように構成されたサービスセンタを更に備えた一般的なグローバルゲートウェイ（ＧＧＧ）。
【請求項５】
請求項２に記載の一般的なグローバルゲートウェイ（ＧＧＧ）において、
前記移動局の位置を格納し、前記移動局から前記第一のネットワークへと出て行く呼を、前記一般的なグローバルゲートウェイ（ＧＧＧ）を通じて経路付けることを可能にした第二の位置レジスタを更に備えた一般的なグローバルゲートウェイ（ＧＧＧ）。
【請求項６】
請求項４に記載の一般的なグローバルゲートウェイ（ＧＧＧ）において、
前記サービスセンタは、前記第二のネットワークとの間でインターネットプロトコル（ＩＰ）メッセージを送受信するように構成されている一般的なグローバルゲートウェイ（ＧＧＧ）。
【請求項７】
請求項４に記載の一般的なグローバルゲートウェイ（ＧＧＧ）において、
前記サービスセンタは、前記第二のネットワークとの間でメッセージを送受信するように構成されたショートメッセージサービスセンタ（ＳＭＳＣ）である一般的なグローバルゲートウェイ（ＧＧＧ）。
【請求項８】
請求項４に記載の一般的なグローバルゲートウェイ（ＧＧＧ）において、
前記メッセージは、前記第二のネットワークによって提供されず前記第一のネットワークによって提供されるサービスを配信する一般的なグローバルゲートウェイ（ＧＧＧ）。
【請求項９】
請求項７に記載の一般的なグローバルゲートウェイ（ＧＧＧ）において、
前記ショートメッセージサービスセンタ（ＳＭＳＣ）は、ショートメッセージサービス（ＳＭＳ）メッセージを送受信し、ネットワークにおける加入を確認する一般的なグローバルゲートウェイ（ＧＧＧ）。
【請求項１０】
第一のネットワークと第二のネットワークとの間の通信をサポートし、前記第一のネットワークに加入した移動局（ＭＳ）が、前記第二のネットワークを使って通信できるように構成されている一般的なグローバルゲートウェイ（ＧＧＧ）であって、
前記移動局のアイデンティティを格納する手段と、
プログラムロジックを実行し、前記移動局のアイデンティティに基づいて第一のネットワークから認証情報を取得する手段と
を備えた一般的なグローバルゲートウェイ（ＧＧＧ）。
【請求項１１】
請求項１０に記載の一般的なグローバルゲートウェイ（ＧＧＧ）において、
前記移動局の位置を格納し、前記第一のネットワークから前記移動局へと到来する呼を、前記一般的なグローバルゲートウェイ（ＧＧＧ）を通じて前記移動局へと経路付けることを可能にする手段を更に備えた一般的なグローバルゲートウェイ（ＧＧＧ）。
【請求項１２】
請求項１０に記載の一般的なグローバルゲートウェイ（ＧＧＧ）において、
前記プログラムロジックを実行する手段は更に、前記移動局からの認証パラメータが、一般的なグローバルゲートウェイ（ＧＧＧ）認証基準を満足するかを判定するように構成された一般的なグローバルゲートウェイ（ＧＧＧ）。
【請求項１３】
請求項１１に記載の一般的なグローバルゲートウェイ（ＧＧＧ）において、
前記第二のネットワークとの間でショートメッセージサービス（ＳＭＳ）メッセージを送受信する手段を更に備えた一般的なグローバルゲートウェイ（ＧＧＧ）。
【請求項１４】
請求項１１に記載の一般的なグローバルゲートウェイ（ＧＧＧ）において、
前記移動局の位置を格納し、前記移動局から前記第一のネットワークへと出て行く呼を、前記一般的なグローバルゲートウェイ（ＧＧＧ）を通じて前記移動局から経路付けることを可能にした手段を更に備えた一般的なグローバルゲートウェイ（ＧＧＧ）。
【請求項１５】
第一のネットワークに加入した移動局（ＭＳ）を、第二のネットワークを使って通信できるようにした前記第一のネットワークと前記第二のネットワークとの間の無線通信の方法であって、
前記移動局のアイデンティティを格納することと、
前記移動局のアイデンティティに基づいて、前記第一のネットワークから認証情報を取得することと、
一般的なグローバルゲートウェイ（ＧＧＧ）内の前記第一のネットワークからの認証情報を格納することと、
前記第一のネットワークからの前記格納された認証情報を使用して前記移動局を認証することと
を備えた方法。
【請求項１６】
請求項１５に記載の方法において、
前記移動局の位置を格納し、前記第一のネットワークから前記移動局へと到来する呼を、前記一般的なグローバルゲートウェイ（ＧＧＧ）を通じて前記移動局へと経路付けることを可能にする手段を更に備えた方法。
【請求項１７】
請求項１５に記載の方法において、
前記移動局からの認証パラメータが、一般的なグローバルゲートウェイ（ＧＧＧ）認証基準を満足するかを判定することを更に備えた方法。
【請求項１８】
請求項１５に記載の方法において、
前記移動局が、前記第一のネットワークにおいて認証された後に、前記移動局から前記第一のネットワークへ直接通信することを更に備えた方法。
【請求項１９】
請求項１６に記載の方法において、
前記第二のネットワークとの間でショートメッセージサービス（ＳＭＳ）メッセージを送受信するように構成された方法。
【請求項２０】
請求項１６に記載の方法において、
前記移動局の位置を格納し、前記移動局から前記第一のネットワークへと出て行く呼を、前記一般的なグローバルゲートウェイ（ＧＧＧ）を通じて前記移動局から経路付けることを可能にした手段を更に備えた方法。
【請求項２１】
第一のネットワークに加入した移動局を、第二のネットワークを使って通信することを可能とする前記第一のネットワークと前記第二のネットワークとの間での無線通信の方法を実行するコンピュータプログラムによって実行可能な命令のプログラムを組み込むコンピュータ読取可能媒体であって、前記方法は、
前記移動局のアイデンティティを格納することと、
前記移動局のアイデンティティに基づいて、前記第一のネットワークから認証情報を取得することと、
一般的なグローバルゲートウェイ（ＧＧＧ）内の前記第一のネットワークからの認証情報を格納することと、
前記第一のネットワークからの前記格納された認証情報を使用して、前記移動局を認証することと
を備えたコンピュータ読取可能媒体。
【発明の詳細な説明】
【技術分野】
【０００１】
本発明は、一般に無線通信システムと関し、特に、第一のネットワークと第二のネットワークとの間の相互ネットワークを可能にするシステムに関する。
【背景技術】
【０００２】
符号分割多元接続（ＣＤＭＡ）は、本質的に、他の無線通信技術よりも相対的に大きな帯域幅容量を持つ、すなわち、周波数帯域毎により多くの電話呼をサービスすることを可能にするデジタル無線技術である。更に、ＣＤＭＡの拡散スペクトル原理は本質的に安全な通信を提供する。参照することにより本明細書に組み込まれる米国特許４，９０１，３０７号（特許文献１）は、音声呼と非音声コンピュータデータとの両方を送信するために使用することができるＣＤＭＡシステムの詳細を説明している。
【０００３】
ＣＤＭＡの利点にもかかわらず、他の原理を利用する他の無線システムが存在する。例えば、世界の多くでは、時分割多元接続のバージョンを用いるＧＳＭが使用されている。
【０００４】
ＣＤＭＡ原理、あるいはその他の無線原理が用いられようとも、無線通信システムは、２つの主要部品、すなわち、無線通信アクセスネットワーク（ＲＡＮ：wireless radio access network）と、公衆交換電話網（ＰＳＴＮ）、インターネット（特別にデータ呼のために限定されていないが）等のような外部システム及びＲＡＮと通信するコアインフラストラクチャとを持つものと考えることができる。
【０００５】
様々な無線技術と関連付けられたコアインフラストラクチャは、ハードウェアに関しても、また、特殊化された典型的なシステム特有の呼スイッチング、加入と参加者認証と呼監視、及び課金をサポートするための通信プロトコルの開発に関しても非常に高価になりうる。その結果、一つの無線システムの通信プロトコル（ＧＳＭの場合、ＧＳＭプロトコル、ＣＤＭＡの場合、例えばｃｄｍａ２０００−１ｘやIS-41プロトコル）は、一つのシステム又はその他のシステムのコアインフラストラクチャにおいて、費用のかかる禁じられた変更がなくては、その他のシステムとは互換にはならないかもしれない。
【０００６】
ＣＤＭＡネットワークとＧＳＭネットワークとの間を相互ネットワークすることは望ましいであろう。これによって、ＣＤＭＡベースのＲＡＮを、その付随する利点とともに利用することが可能となる。また、ＧＳＭは世界の多くに現存しているので、ＧＳＭベースのコアインフラストラクチャを使用することが可能となる。
【０００７】
従って、デュアルモード移動局は、例えばヨーロッパにいる場合にはＧＳＭコアインフラストラクチャと有利にインタフェースし、米国にいる場合にはＣＤＭＡインフラストラクチャを有利に使用することが可能とされる。
【特許文献１】米国特許４，９０１，３０７号
【発明の開示】
【０００８】
本出願は、２００３年３月１８日に出願された米国仮特許出願番号６０／４５５，９０９からの優先権を主張する。
【０００９】
本発明の一つの局面では、一般的なグローバルゲートウェイ（ＧＧＧ）が、第一のネットワークと第二のネットワークとの間の通信をサポートし、第一のネットワークに加入した移動局（ＭＳ）が、第二のネットワークを使って通信することができるように構成されている。この一般的なグローバルゲートウェイ（ＧＧＧ）は、移動局のアイデンティティを格納するように構成されたデータベースと、プログラムロジックを実行し、移動局のアイデンティティに基づいて第一のネットワークから認証情報を取得するロジックユニットとを備えている。
【００１０】
本発明の別の局面では、一般的なグローバルゲートウェイ（ＧＧＧ）は、移動局のアイデンティティを格納する手段と、プログラムロジックを実行し、移動局のアイデンティティに基づいて第一のネットワークから認証情報を取得する手段とを備えている。
【００１１】
本発明の更に別の局面では、第一のネットワークに加入した移動局（ＭＳ）が、第二のネットワークを使って通信できるようにした第一のネットワークと第二のネットワークとの間の無線通信方法であって、移動局のアイデンティティを格納することと、移動局のアイデンティティに基づいて、第一のネットワークから認証情報を取得することと、一般的なグローバルゲートウェイ（ＧＧＧ）内の第一のネットワークからの認証情報を格納することと、第一のネットワークからの格納された認証情報を使用して移動局を認証することとを備える。
【００１２】
本発明の更にまた別の局面では、第一のネットワークに加入した移動局（ＭＳ）が第二のネットワークを使って通信することを可能とする第一のネットワークと第二のネットワークとの間での無線通信方法を実行するコンピュータプログラムによって実行可能な命令のプログラムを組み込んだコンピュータ読取可能媒体であって、この方法は、移動局のアイデンティティを格納することと、移動局のアイデンティティに基づいて、第一のネットワークから認証情報を取得することと、一般的なグローバルゲートウェイ（ＧＧＧ）内の第一のネットワークからの認証情報を格納することと、格納された第一のネットワークからの認証情報を使用して、移動局を認証することとを備える。
【００１３】
本発明の種々の実施例が示され、例示によって説明される以下の詳細記載から、当該技術分野における熟練者であれば、本発明のその他の実施例も容易になることが理解される。本発明は、その他の実施例及び別の実施例を実施することが可能であり、その幾つかの詳細は全て、本発明の精神及び範囲から逸脱することなく種々の別の観点において修正可能であることが理解されるであろう。従って、図面及び詳細記載は、本質的に例示的とみなされ、限定的であるとはみなされない。
【発明を実施するための最良の形態】
【００１４】
本発明は、一般に無線通信システムに関し、特に、第一のネットワークと第二のネットワークとの間の相互ネットワークを許可するシステムに関する。図１は、実施例に従って、第一のネットワークであるＣＤＭＡネットワーク１２が、第二のネットワークであるＧＳＭネットワーク１４と相互ネットワークしていることを示す。
【００１５】
図１は、ＣＤＭＡネットワーク１２、ＧＳＭネットワーク１４、一般的なグローバルゲートウェイ（ＧＧＧ）１６、及び移動局１８，２０，２２，２４からなる無線通信システム１０のブロック図を示す。ＧＳＭ移動局２０は、加入者アイデンティティモジュール（ＳＩＭ：Subscriber Identity Module）２６を含む。ＣＤＭＡ移動局２４はＳＩＭ２８を含む。ＳＩＭ２６，２８は、当該技術分野で知られた原理に従って、移動局２０，２４とそれぞれ取り外し可能に接続している。ＧＳＭネットワークを含む実施例では、ＧＧＧはＧＳＭグローバルゲートウェイと呼ばれる。
【００１６】
ＧＧＧ１６は、ＣＤＭＡネットワーク１２とＧＳＭネットワーク１４との間を相互ネットワークする。ＧＧＧは、ＣＤＭＡネットワーク１２及びＧＳＭネットワーク１４との間でのメッセージの送受信を可能にするトランシーバ（図示せず）を含む。
【００１７】
ある実施例では、ＣＤＭＡネットワークは、ＡＮＳＩ−４１ネットワークである。ＣＤＭＡネットワーク１２は、限定する訳ではないが、ｃｄｍａ２０００−１ｘ、及びｃｄｍａ２０００−１ｘＥＶ−ＤＯを含むＣＤＭＡネットワークの任意の種類でありうることが、当該技術分野における熟練者には明らかになるであろう。
【００１８】
ＧＳＭネットワーク１４は、限定する訳ではないが、ジェネラルパケットラジオサービス（ＧＰＲＳ）、ユニバーサルモバイルテレコミュニケーションシステム（ＵＭＴＳ）、及び広帯域ＣＤＭＡ（Ｗ−ＣＤＭＡ）を含むＧＳＭネットワーク又は後継ネットワークの任意の種類でありうることもまた、当該技術分野における熟練者には明らかになるであろう。
【００１９】
このネットワーク１２，１４は、ＧＳＭ及びＣＤＭＡに限定されないことは当該技術分野における当業者にとっては明らかであるであろう。例えば、ネットワーク１２，１４は、８０２．１１、Ｗｉｍａｘ、又はインターネットプロトコル（ＩＰ）ネットワークでありうる。ＣＤＭＡネットワーク１２及びＧＳＭネットワーク１４は、例示目的用に図１で具体化されている。実施例では、二つのネットワーク１２，１４のうちの一つがＧＳＭネットワークであれば、ＧＧＧは、ＧＳＭグローバルゲートウェイのための頭字語と考えられる。
【００２０】
ＧＳＭネットワーク１４は、ＧＳＭコア３０とＧＳＭ無線アクセスネットワーク３２からなる。ＧＳＭコア３０は、ＧＳＭホームロケーションレジスタ（ＧＳＭ  ＨＬＲ）３４、ＧＳＭ認証センタ（ＧＳＭ  ＡｕＣ）３６、ＧＳＭショートメッセージセンタ（ＧＳＭ  ＳＭＳＣ）３８、及びＧＳＭゲートウェイモバイル交換センタ（ＧＳＭ  ＧＭＳＣ）４０からなる。ＣＤＭＡネットワーク１２は、ＣＤＭＡホームロケーションレジスタ（ＣＤＭＡ  ＨＬＲ）４２、ＣＤＭＡ認証センタ（ＣＤＭＡ  ＡｕＣ）４４、ＣＤＭＡ  ＭＳＣ４６、及び関連付けられたＣＤＭＡ無線アクセスネットワーク（ＣＤＭＡ  ＲＡＮ）４８からなる。
【００２１】
ＣＤＭＡコア２０に加入を持つＧＳＭ移動局に関して、ＧＧＧ１６は、ＧＳＭネットワーク１４へのビジターロケーションレジスタ（ＶＬＲ）５０として機能する。ＧＳＭコア３０に加入を持つＣＤＭＡ移動局２４に関して、ＧＧＧ１６は、ＣＤＭＡネットワーク１２へのビジターロケーションレジスタ（Ｖｉｓｏｔｏｒ  ＬＲ）５２として機能する。
【００２２】
移動局１８，２０，２２，２４は、両方のコアインフラストラクチャ１２，１４内に加入を持つ必要はなく、コアインフラストラクチャ１２，１４のうちの一つのみに加入を持てば良い。
【００２３】
ＣＤＭＡコア２０に加入を持つＧＳＭ移動局と、ＧＳＭコア２４に加入を持つＣＤＭＡ移動局との両方に関して、ＧＧＧ１６は、ショートメッセージサービスセンタ（ＳＭＳＣ）５４として機能する。ＧＧＧ１６がＳＭＳＣ５４を含むことができるか、又はＳＭＳＣ５４と通信することができることは、当該技術分野における熟練者に明白となるであろう。
【００２４】
実施例では、ＧＧＧ１６は、ＩＰメッセージを送受信するサービスセンタを含む。ＧＧＧ１６がサービスセンタのプロトコル内のメッセージを送受信するために、当該技術分野で知られたあらゆるサービスセンタを含んでいることは、当該技術分野における熟練者に明らかとなろう。実施例では、ＧＧＧ１６によってメッセージが送受信される。このメッセージは、第二のネットワークによって提供されることのない第一のネットワークによって提供されるサービスを配信する。
【００２５】
移動局１８，２０は、ＧＳＭシグナリングプロトコル、ＧＳＭ認証手順、及びＧＳＭショートメッセージサービスをサポートする。同様に、移動局２２，２４は、ＧＳＭシグナリングプロトコル、ＧＳＭ認証手順、及びＧＳＭショートメッセージサービスをサポートする。
【００２６】
ＧＳＭコア内に加入を持つＣＤＭＡ移動局２４の登録の間、ＧＧＧは、ＣＤＭＡネットワークにおける認証コントローラとして動作するが、ＧＳＭ認証メカニズムを用いてこの移動局２４を認証する。同様に、ＣＤＭＡコア内に加入を持つＧＭＳ移動局２０の登録の間、ＧＧＧは、ＧＳＭネットワークにおける認証コントローラとして動作するが、ＣＤＭＡ認証メカニズムを使用して移動局２０を認証する。
【００２７】
ＧＧＧ１６は、ショートメッセージサービスセンタ５４を経由してメッセージセンタとして動作する。ＣＤＭＡネットワークでは、ＧＳＭ  ＳＭＳメカニズムを使って移動局２４との間でＳＭＳメッセージが経路付けられる。同様に、ＧＳＭネットワークでは、ＣＤＭＡ  ＳＭＳメカニズムを使って移動局２０との間でＳＭＳメッセージが経路付けられる。
【００２８】
ＧＧＧ１６は、移動局２０，２４から位置メッセージを受信する。ＧＧＧは、位置メッセージ内の識別子を使用して認証情報を取得し、質問するためにどのＨＬＲ／ＡｕＣを必要とするのかを知る。
【００２９】
登録されたＧＳＭ加入者２４に到来する全ての呼は、加入者のホームＧＳＭネットワーク１４内のＧＳＭゲートウェイＭＳＣ（ＧＳＭ  ＧＭＳＣ）４０に到着する。ＧＭＳＣ４０は、ＧＳＭ  ＬＲ５０に質問して、ＣＤＭＡネットワーク１２内にある加入者２４の位置を判定する。ＧＳＭ  ＬＲ５０の遠近法からのＧＳＭ加入者２４の位置は、ＧＧＧ１６内にあり、ＧＳＭ  ＶＬＲとして見える。ＧＳＭ  ＬＲ５０がＧＧＧ１６から経路情報を要求する時、ＧＧＧ１６は、サービスしているＣＤＭＡ  ＬＲ５２から経路情報を要求し、この呼がＣＤＭＡ  ＭＳＣ４６に経路付けられる。
【００３０】
同様に、登録されたＣＤＭＡ加入者２０へ到来する呼は、加入者のホームＣＤＭＡネットワーク１２内のＣＤＭＡ  ＭＳＣ４６に到着する。ＣＤＭＡ  ＭＳＣ４６は、ＣＤＭＡ  ＬＲ５２に質問し、ＧＳＭネットワーク１４内にある加入者２０の位置を判定する。ＣＤＭＡ  ＬＲ５２の遠近法からのＣＤＭＡ加入者２０の位置は、ＧＧＧ１６内にあり、ＣＤＭＡ  ＶＬＲとして見える。ＣＤＭＡ  ＬＲ５２がＧＧＧ１６から経路情報を要求するとき、ＧＧＧ１６は、サービスしているＧＳＭ  ＬＲ５０から経路情報を要求するので、呼はＧＳＭ  ＧＭＳＣ４０に経路付けられる。
【００３１】
ＣＤＭＡベースの移動局２２，２４は、当該技術分野で知られたＣＤＭＡ原理に従ってＣＤＭＡ無線アクセスネットワーク（ＲＡＮ）４８を使用してＣＤＭＡ移動交換センタ（ＭＳＣ）４６と通信する。実施例では、ＣＤＭＡ  ＭＳＣ４６は、ＩＳ−４１  ＭＳＣである。
【００３２】
同様に、ＧＳＭベースの移動局１８，２０は、当該技術分野で知られたＧＳＭ原理に従って、ＧＳＭ  ＲＡＮ３２を使用してＧＳＭ移動交換センタ（ＧＳＭ  ＧＭＳＣ）４０と通信する。
【００３３】
当該技術分野で知られたＣＤＭＡ原理に従って、ＣＤＭＡ  ＲＡＮ４８は、基地局と基地局コントローラとを含む。実施例では、図１に示すＣＤＭＡ  ＲＡＮ２４はｃｄｍａ２０００、特に、ｃｄｍａ２０００  １ｘ、ｃｄｍａ２０００  ３ｘ、又はｃｄｍａ２０００高データレート（ＨＤＲ）原理のうちの何れかを使用する。
【００３４】
当該技術分野において知られたＧＳＭ原理に従って、ＧＳＭ  ＲＡＮ３２は、基地局と基地局コントローラとを含む。実施例では、ＧＳＭ  ＲＡＮ３２は、ＧＳＭ、ＧＰＲＳ、ＥＤＧＥ、ＵＭＴＳ、又はＷ−ＣＤＭＡの各原理のうちの何れかを使用する。
【００３５】
ＣＤＭＡ  ＭＳＣ４６とＣＤＭＡ  ＲＡＮ４８とを備えたＣＤＭＡコアインフラストラクチャは、当該技術分野で知られたＣＤＭＡ原理に従ってＣＤＭＡ認証センタ（ＣＤＭＡ  ＡＵＣ）４４及びＣＤＭＡホームロケーションレジスタ（ＣＤＭＡ  ＨＬＲ）４２を含むか、アクセスし、加入者移動局２２を認証し、特定のＣＤＭＡコアインフラストラクチャによって要求されると会計及び課金情報を収集する。
【００３６】
同様に、ＧＳＭコア３０は、当該技術分野で知られたＧＳＭ原理に従ってＧＳＭ認証センタ（ＧＳＭ  ＡＵＣ）３６及びＧＳＭホームロケーションレジスタ（ＧＳＭ  ＨＬＲ）３４を含むか、アクセスし、加入者移動局１８を認証し、特定のＧＳＭコアインフラストラクチャによって要求されると会計及び課金情報を収集する。
【００３７】
ＣＤＭＡ  ＭＳＣ４６は、ＧＧＧ１６を使用し、ＧＳＭネットワーク１４と通信する。ＧＳＭネットワーク１４は、当該技術分野で知られたＧＳＭ原理に従ってＧＳＭ認証センタ３６及びＧＳＭホームロケーションレジスタ（ＧＳＭ  ＨＬＲ）３４を含むか、アクセスし、加入者移動局２４を認証し、特定のＧＳＭコア３０によって要求されると会計及び課金情報を収集する。
【００３８】
同様に、ＧＳＭ  ＧＭＳＣ４０は、ＧＧＧ１６を用いてＣＤＭＡネットワーク１２と通信する。ＣＤＭＡネットワーク１２は、当該技術分野で知られたＣＤＭＡ原理に従ってＣＤＭＡ認証センタ４４及びＣＤＭＡホームロケーションレジスタ（ＨＬＲ）４２を含むか、アクセスし、加入者移動局２０を認証し、特定のＣＤＭＡネットワーク１２によって要求されるようと会計及び課金情報を収集する。
【００３９】
ＧＳＭコア３０及びＣＤＭＡコアインフラストラクチャの両方とも、例えば公衆交換電話網（ＰＳＴＮ）及び／又はインターネットプロトコル（ＩＰ）ネットワークのようなネットワークと通信する。
【００４０】
ＧＳＭコア３０内に登録を持つＣＤＭＡ移動局２４に関し、ＧＧＧ１６は、ＧＳＭネットワーク１４に対するＶＬＲ５０として動作する。ＧＧＧは、ＶＬＲ５０のためのＧＳＭプロトコル要件を満たしている。ＧＧＧは、到来する呼をＧＧＧ１６がＣＤＭＡネットワーク１２に経路付けることを除いて、ＧＳＭ仕様にしたがって、例えばＧＳＭ  ＨＬＲ３４及びＧＳＭ  ＳＭＳＣ３８のようなＧＳＭコアネットワーク要素と相互作用する。ＧＳＭ  ＬＲ５０はまた、移動局がＣＤＭＡネットワーク１２内に登録するとき、ＧＳＭネットワーク１４を用いて位置更新を実行する。この意味においては、ＧＧＧは、ＣＤＭＡネットワーク１２全体に対するＶＬＲとして動作する。
【００４１】
ＣＤＭＡネットワーク１２内に登録を持つＧＳＭ移動局２０に関連して、ＧＧＧ１６は、ＣＤＭＡネットワーク１４に対するＶＬＲ５２として動作する。ＧＧＧは、ＶＬＲ５２のためのＣＤＭＡプロトコル要件を満たしている。ＧＧＧは、到来する呼をＧＧＧ１６がＣＤＭＡネットワーク１２に経路付けることを除いて、ＧＳＭ仕様にしたがって、例えばＣＤＭＡ  ＨＬＲ４２及びＣＤＭＡ  ＭＳＣ４６のようなＣＤＭＡコアネットワーク要素と相互作用する。ＣＤＭＡ  ＬＲ５２はまた、移動局がＧＳＭネットワーク１４内に登録するとき、ＣＤＭＡネットワーク１２を用いて位置更新を実行する。この意味においては、ＧＧＧは、ＧＳＭネットワーク１４全体に対するＶＬＲとして動作する。
【００４２】
ＣＤＭＡネットワーク１２内にある移動局が、ＧＳＭネットワーク１４から呼ばれた場合には、この呼が、標準的な仕様毎にＧＧＧ１６内のＣＤＭＡ  ＬＲ５２へ経路付けられる。ＧＧＧ１６は、この呼を、ＣＤＭＡネットワーク１２に経路付ける。ＣＤＭＡネットワーク１２は、最終的には、この呼を、移動局をサービスするＣＤＭＡ  ＭＳＣ４６に経路付ける。同様に、ＳＭＳがＧＳＭネットワーク１４からＣＤＭＡネットワーク１２へと経路付けられれば、ＧＧＧ１６は、ＣＤＭＡネットワーク１２内のメッセージセンタ（図示せず）へメッセージを経路付ける。
【００４３】
ＧＳＭネットワーク１４内にある移動局が、ＣＤＭＡネットワーク１２から呼ばれた場合には、この呼が、標準的な仕様毎にＧＧＧ１６内のＧＳＭ  ＬＲ５０へ経路付けられる。ＧＧＧ１６は、この呼を、ＧＳＭネットワーク１４に経路付ける。ＧＳＭネットワーク１４は、最終的には、この呼を、移動局をサービスするＧＳＭ  ＧＳＭＣ４０に経路付ける。同様に、ＳＭＳがＣＤＭＡネットワーク１２からＧＳＭネットワーク１０へと経路付けられれば、ＧＧＧ１６は、ＧＳＭネットワーク１４内のＧＳＭ  ＳＭＳＣ３８へメッセージを経路付ける。
【００４４】
移動局がＣＤＭＡネットワーク12に登録する時には、ＣＤＭＡネットワーク１２は、位置更新表示をＧＳＭネットワーク１４へ送る。そして、ＧＳＭ  ＬＲ５０が、ＧＳＭコアネットワーク１４を用いて標準的な仕様に従って位置更新を実行する。
【００４５】
移動局がＧＳＭネットワーク１４に登録する時には、ＧＳＭネットワーク１４は、位置更新表示をＣＤＭＡネットワーク１２へ送る。そして、ＣＤＭＡ  ＬＲ５２が、ＣＤＭＡネットワーク１２を用いて標準的な仕様毎に位置更新を実行する。
【００４６】
ＧＳＭコア３０内に登録を持つＣＤＭＡ移動局２４に関連して、ＧＧＧ１６は、ＣＤＭＡネットワーク１２におけるＨＬＲ５２として動作する。ＣＤＭＡ  ＬＲ５２は、ＧＳＭのためのＨＬＲプロトコル要件をＣＤＭＡローミングに適合させるものとする。ＨＬＲが維持する情報の重要な部分は、移動局２４をサービスするＣＤＭＡ  ＭＳＣ４６のアドレスである。ＧＧＧ１６内のＧＳＭ  ＬＲ５０が、呼をＣＤＭＡ１２側に経路付けるとき、ＣＤＭＡ  ＬＲ５２は、更に、それを、サービスしているＭＳＣ４６に経路付ける。
【００４７】
ＣＤＭＡネットワーク１２内に登録を持つＧＳＭ移動局２０に関連して、ＧＧＧ１６は、ＧＳＭネットワーク１４内のＨＬＲ５０として動作する。ＧＳＭ  ＬＲ５０は、ＣＤＭＡのためのＨＬＲプロトコル要件を、ＧＳＭローミングに適合させるものとする。ＨＬＲが維持する情報の重要な部分は、移動局２０をサービスするＧＳＭ  ＧＭＳＣ４０のアドレスである。ＧＧＧ１６内のＣＤＭＡ  ＬＲ５２が、呼をＧＳＭ１４側に経路付けるとき、ＧＳＭ  ＬＲ５０は、更に、それを、サービスしているＭＳＣ４０に経路付ける。
【００４８】
ＧＧＧは、ＧＳＭ加入者２４のためのＣＤＭＡネットワーク内の認証コントローラ（ＡＵＣ）として動作する。ＣＤＭＡネットワーク１２内のＡＵＣ４４は、移動局を認証することと、ネットワークリソースへのアクセスの許可／拒否をすることに対して責任を持つ。ＧＧＧにおけるＡＵＣ機能は、ＧＧＧ又はＭＳにおいてＡ−ｋｅｙプロビジョニングを求めない。代わりにＧＧＧは、ＧＳＭシグナリングを経由したＧＳＭ認証方法とＧＳＭ認証証明書とを用いて、移動局２４を認証する。ＧＧＧは、ＣＤＭＡ  ＡＵＣ４４によって受信可能な有効なメッセージに対して応答する。
【００４９】
ＧＧＧは、ＣＤＭＡ加入者２０のためにＧＳＭネットワーク内の認証コントローラ（ＡＵＣ）として動作する。ＣＤＭＡネットワーク１４内のＡＵＣ３６は、移動局を認証することと、ネットワークリソースへのアクセスの許可／拒否をすることに対して責任を持つ。ＧＧＧにおけるＡＵＣ機能は、ＧＧＧ又はＭＳにおいてＡ−ｋｅｙプロビジョニングを求めない。代わりにＧＧＧは、ＣＤＭＡシグナリングを経由したＣＤＭＡ認証方法とＣＤＭＡ認証証明書とを用いて、移動局２０を認証する。ＧＧＧは、ＧＳＭ  ＡＵＣ３６によって受信可能な有効なメッセージに対して応答する。
【００５０】
ＧＧＧ１６は、ＣＤＭＡネットワーク１２内のメッセージセンタ（ＭＣ）として動作し、ＧＳＭ  ＳＭＳメカニズムを使って、ＳＭＳメッセージを、ＣＤＭＡ移動局２４とＧＳＭ  ＧＭＳＣ４０との間に経路付ける。
【００５１】
同様に、ＧＧＧ１６は、ＧＳＭネットワーク１４内のメッセージセンタ（ＭＣ）として動作し、ＣＤＭＡ  ＳＭＳメカニズムを使って、ＳＭＳメッセージを、ＧＳＭ移動局２０とＣＤＭＡ  ＭＳＣ４６との間に経路付ける。
【００５２】
ＣＤＭＡ  ＭＳ２４は、ＣＤＭＡネットワークにおいて有効なアイデンティティを持つことが要求される。このアイデンティティが、ＧＳＭ国際移動電話加入者識別番号（ＩＭＳＩ）と異なる（すなわち、このＣＤＭＡネットワークが真のＩＭＳＩを使用していない）のであれば、ＧＧＧは、ＣＤＭＡアイデンティティとＧＳＭ  ＩＭＩＳとの間のマッピングを提供する。当該技術分野における熟練者にとっては、移動局２４をユニークに識別するための当該技術において周知の技術／方法が使用されうることが明らかであろう。
【００５３】
ＧＳＭ  ＭＳ２０は、ＧＳＭネットワークにおいて有効なアイデンティティを持つことが要求される。ある実施例では、このアイデンティティは、（ＣＤＭＡネットワークが真のＩＭＳＩを使用しないのであれば）ＧＳＭ  ＩＭＳＩである。ＧＳＭネットワークにおけるアイデンティティが、ＣＤＭＡネットワークにおけるアイデンティティと異なるのであれば、ＧＧＧは、ＧＳＭアイデンティティとＣＤＭＡアイデンティティとの間のマッピングを提供する。当該技術分野における熟練者にとっては、移動局２０をユニークに識別するための当該技術において周知の技術／方法が使用されうることが明らかであろう。
【００５４】
限定しない実施例では、移動局１８，２０は、京セラ、Ｓａｍｓｕｎｇ、又はＧＳＭ原理及びエアによる（ＯＴＡ：over-the-air）ＧＳＭ通信エアインタフェースを用いるその他の製造者によって製造された移動電話である。限定しない実施例では、移動局２２，２４は、京セラ、Ｓａｍｓｕｎｇ、又はＣＤＭＡ原理及びエアによる（ＯＴＡ：over-the-air）ＣＤＭＡ通信エアインタフェースを用いるその他の製造者によって製造された移動電話である。しかしながら、本発明は、例えばラップトップコンピュータ、無線ハンドセット又は電話、データトランシーバ、又はページング及び位置決定受信機のようなその他の移動局にもあてはまる。移動局は、要求されるように、車両（車、トラック、ボート、航空機、列車を含む）に搭載されたポータブル又はハンドヘルドでありうる。しかしながら、無線通信デバイスが一般にモバイルである一方、本発明は、いくつかの実施においては「固定された」ユニットに適用することができる。また、本発明は、デジタル化されたビデオ情報を含むデータ情報、及び／又は音声を転送するために使用されるデータモジュール又はモデムに適用され、有線又は無線リンクを用いて、他のデバイスと通信する。さらに、予め定めた調整された或いは関連付けられた方法でモデム又はモジュールを動作させ、複数の通信チャネルによって情報を転送させるために命令が使用されうる。また、無線通信デバイスはしばしばユーザ端末、移動局、移動ユニット、加入者ユニット、移動無線又は無線電話、無線ユニット、あるいは幾つかの通信システムでは単に「ユーザ」及び「モバイル」と称される。
【００５５】
図２Ａ及び図２Ｂは、実施例に従って、第二のネットワーク内をローミングしている時に、認証して第一のネットワークへアクセスするフローチャートを示す。ステップ２０２では、移動局２４（ＭＳ）が、第二のネットワークのエリアへ移動し、制御フローがステップ２０４に進む。ステップ２０４では、移動局が、登録システムアクセスを開始し、制御フローがステップ２０６に進む。ステップ２０６では、移動局が、第二のネットワークのＲＡＮ４８を経由して第二のネットワークのＭＳＣ４６に登録メッセージを送り、制御フローがステップ２０８に進む。
【００５６】
この登録システムアクセスは、ＲＡＮ４８を経由したＭＳＣ４６へのメッセージである。このメッセージは、移動局のアイデンティティを含む。実施例では、移動局のアイデンティティは、ＳＩＭ２８によって提供される。実施例では、移動局２４のアイデンティティはＩＭＳＩである。実施例では、移動局のアイデンティティはモバイル識別番号（ＭＩＮ：Mobile Identification Number）である。
【００５７】
ステップ２０８では、ＭＳＣ４６は、移動局アイデンティティに基づいてネットワーク加入、すなわち、この移動局が第二のネットワーク又は第一のネットワークの加入者であるかを判定する。実施例では、移動局のアイデンティティがＩＭＳＩである場合、ＭＳＣ４６は、この判定を行うことができる。なぜなら、ＩＭＳＩは、その他の情報の中でもとりわけ、国を表すコードと、移動局が加入をもつネットワークとを含むからである。制御フローはステップ２１０に進む。
【００５８】
ステップ２１０では、第二のネットワークのＭＳＣ４６が、移動局アイデンティティから、移動局の加入を判定する。ステップ２１０では、第二のネットワークのＭＳＣ４６が、この移動局２４が第二のネットワークの加入者であるかを確認する。移動局２４が第二のネットワークの加入者であるならば、ステップ２１２において、第二のネットワークのＨＬＲ４２とＡｕＣ４４とを用いて、移動局２２が、第二のネットワークのコアインフラストラクチャの原理を用いて認証される。移動局２４が第一のネットワーク１４の加入者であれば、ステップ２１２において、第二のネットワークのＭＳＣ４６が、移動局アイデンティティと位置とを認証パラメータとともにＧＧＧに送る。制御フローはステップ２１４に進む。
【００５９】
ステップ２１４では、ＧＧＧ１６がＧＧＧデータベース（図示せず）内に移動局アイデンティティを見つけ、認証パラメータがＧＧＧ認証基準を満足しているかを判定するために確認がなされる。もしも満足していなければ、ステップ２１６において、ＧＧＧ１６が、第二のネットワークのＭＳＣ４６とＲＡＮ４８とを経由して移動局へメッセージを送り、移動局が認証されなかったことを示す。確認結果が真であれば、ステップ２１８において、ＧＧＧ１６が、移動局アイデンティティと位置とを認証パラメータと共に第一のネットワークのコアに送り、制御フローはステップ２２０に進む。
【００６０】
ＧＧＧは、ロジックユニット（図示せず）を含み、プログラムロジックを実行する。このロジックユニットが、汎用プロセッサ、特別用途プロセッサ、及び／又はファームウェアを含みうることは、当該技術分野における熟練者に明らかであろう。
【００６１】
ステップ２２０では、第一のネットワークのコアが、第一のネットワークのＨＬＲ内の移動局アイデンティティを見つけ、認証パラメータが、第一のネットワークの認証基準を満足しているかを判定するための確認がなされる。もしも満足していなければ、次にステップ２２２において、第一のネットワークのコアが、第二のネットワークのＭＳＣ４６及びＲＡＮ４８を経由して移動局にメッセージを送り、移動局が認証されていないことを示す。この確認の結果が真であれば、ステップ２２４において、第一のネットワークのコアが、移動局の位置を更新し、認証メッセージを、第一のネットワークの認証パラメータとともにＧＧＧ１６に送り、制御フローはステップ２２６に進む。
【００６２】
ステップ２２６では、ＧＧＧ１６が、移動局による次のアクセスのために第一のネットワークの認証パラメータを格納する。従って、次のアクセスについて認証処理の全体を必ずしも実行する必要がないかもしれない。これは、第一のネットワークのコアがアクセスする必要が無いことを意味する。制御フローはステップ２２８に進む。
【００６３】
ステップ２２８では、ＧＧＧ１６が第二のネットワークのＭＳＣ４６に認証メッセージを送り、ＭＳＣ４６が、この認証メッセージを、第二のネットワークのＲＡＮ４８を経由して移動局へ送る。制御フローはステップ２３０に進む。
【００６４】
時間期間後に、ステップ２３０では、移動局が第一のネットワークに再アクセスし、制御フローはステップ２３２に進む。
【００６５】
ステップ２３２では、認証パラメータがＧＧＧ認証基準を満足し続けているかを判定するための確認がなされる。満足し続けていなければ、ステップ２３４では、ＧＧＧ１６が、第二のネットワークのＭＳＣ４６及びＲＡＮ４８を経由して移動局へメッセージを送る。この確認の結果が真であれば、ステップ２３６において、移動局が第一のネットワークにアクセスする。制御フローは、この移動局が次回に第一のネットワークにアクセスするためにステップ２３０に進む。方法ステップは、本発明の範囲から逸脱することなく相互交換することができる。移動局２４は、一旦認証されると、例えばＩＰネットワークを経由して第一のネットワーク１４と直接的に通信することができる。移動局が認証されなかった場合、移動局は、アプリケーションに依存して認証を再試行することができることは、当該技術分野における熟練者に明らかであろう。
【００６６】
ここで示され、詳細に記載された具体的な「第一のネットワークと第二のネットワークとの間の相互ネットワーク」が、本発明の上述した目的を完全に達成することができる一方、それは本発明の現在の好適な実施例であり、よって、本発明によって広く考慮された主題の代表であることと、本発明の範囲は、当該技術分野における熟練者に明らかになるその他の実施例を完全に包含していることと、本発明の範囲は、単数の要素に対する参照が、明示的に「一つ又は複数」と述べられていない限り「一つ及び一つのみ」を意味することを意図していない添付特許請求の範囲以外の何れによっても制限されるものではないこととが理解されよう。当該技術分野における通常の熟練者に周知あるいはその後周知になる上述した好適な実施例の要素に対する全ての構造的及び機能的な等価物は、ここで参照により明確に組み込まれ、本特許請求の範囲によって包含されることが意図されている。更に、デバイス又は方法は、本発明によって解決されることが求められるそれぞれ及び全ての問題に対処する必要は無い。なぜなら、それは特許請求の範囲によって含まれるべきであるからである。更に、本開示におけるいかなる要素、部品、又は方法ステップも、要素、部品、又は方法ステップが特許請求の範囲において明示的に列挙されているかに関わらず、一般のために設けられているものではない。ここで、特許請求の範囲のどの要素も、もしも「ｍｅａｎｓ  ｆｏｒ」という文言を用いて明示的に列挙されておらず、また方法クレイムの場合、「ａｃｔ」の代わりに「ｓｔｅｐ」として列挙されていなければ、３５ＵＳＣ１１２条第６パラグラフの規定のもとで解釈されない。
【００６７】
方法ステップは、本発明の範囲から逸脱せずに相互交換することが可能である。
【図面の簡単な説明】
【００６８】
【図１】図１は、ＣＤＭＡネットワーク、ＧＳＭネットワーク、一般的なグローバルゲートウェイ（ＧＧＧ）、及び移動局からなる無線通信システムのブロック図を示す。
【図２Ａ】図２Ａは、実施例に従って第二のネットワーク内をローミングしているときに、認証し、第一のネットワークにアクセスするためのフローチャートを示す。
【図２Ｂ】図２ＢＡは、実施例に従って第二のネットワーク内をローミングしているときに、認証し、第一のネットワークにアクセスするためのフローチャートを示す。
【図１】
2007525048.tif 000003
2007525048.tif 000004
2007525048.tif 000005